(57)【要約】  本発明は、内部にバギナの性感帯を刺激することを目的とした複数の振動モータを収容したペニス形状の中空本体を含む女性の性的刺激のための装置に関する。
2014533162.tif 000002
【特許請求の範囲】
【請求項１】
女性の性的刺激のための装置（１）であって、電力駆動の振動手段（１６）を収容する細長い中空本体（２）と、該中空本体を少なくとも部分的に覆う概ねペニス形状の、可撓性材料で作られた不浸透性のスリーブ（３）とを含み、前記装置は、前記スリーブ（３）の関係する部分（１０、１１、１２）に作用する身体的原因の影響を電気信号に変換する、前記スリーブ（３）によって覆われた少なくとも１つの変換器要素（４、５、６）を更に含み、前記装置は、前記電気信号の値に従って前記電力駆動の振動手段の動作を制御可能なプロセッサ（９）を含む、装置。
【請求項２】
前記変換器要素（４、５、６）によって変換される前記身体的原因は、前記スリーブ（３）の前記関係する部分（１０、１１、１２）に作用する圧力、力、温度、又は湿気のいずれか１つである、請求項１に記載の装置。
【請求項３】
それぞれの前記変換器要素（４、５、６）は、前記中空本体（２）内に支持され、該中空本体は対応する開口部（１３、１４、１５）を含み、該開口部を通して前記変換器要素の感知部を利用することができ、前記スリーブ（３）の前記関係する部分（１０、１１、１２）が前記開口部（１３、１４、１５）を覆う部分であり、前記スリーブ（３）の前記関係する部分（１０、１１、１２）は、前記変換器要素の前記感知部に物理的に接触するか、又は前記変換器要素の前記感知部に物理的に接触するまで変形可能である、請求項１又は２に記載の装置。
【請求項４】
前記スリーブ（３）は、前記変換器要素（４、５、６）に関係する前記スリーブ（３）のそれぞれの前記部分（１０、１１、１２）に、対応する前記変換器要素の前記感知部に対して圧力を及ぼすこと及び前記スリーブ（３）が前記部分（１０、１１、１２）において受ける内向きの変形を前記感知部に伝達することを目的とした、少なくとも１つの内向きに突出する突起又は隆起（１０ａ、１１ａ、１２ａ）を内部に備える、請求項３に記載の装置。
【請求項５】
前記電力駆動の振動手段（１６）は、少なくとも２つの電気モータ（７、８）を含み、前記装置は３つの前記変換器要素（４、５、６）を備え、前記プロセッサ（９）は動作モードに従って前記電力駆動の振動手段（１６）の動作を制御するように構成され、前記動作モードに従って、第１の前記電気モータ（７）の動作又は動作状態は、第１の前記変換器要素（４）によって生成された信号によって決定され、第２の前記電気モータ（８）の動作又は動作状態は、第２及び第３の前記変換器要素（５、６）によって生成された信号によって決定される、請求項１から４のいずれかに記載の装置。
【請求項６】
前記中空本体（２）は、２つの互いに結合可能な半割（２ａ、２ｂ）を定める実質的に長手方向の切れ目に従って分割され、前記半割の間に前記電力駆動の振動手段（１６）が配置されて、圧力によって保持される、請求項１から５のいずれかに記載の装置。
【請求項７】
前記中空本体（２）の少なくとも１つの前記半割（２ａ、２ｂ）は、対応する前記変換器要素（４、５、６）の感知部を利用するための少なくとも１つの開口部（１３、１４、１５）を備え、前記変換器要素は、前記中空本体の前記半割に形成された、前記開口部（１３、１４、１５）の真下に突出したタブ（１７、１８、１９）内に支持される、請求項６に記載の装置。
【請求項８】
前記中空本体（２）は、前記プロセッサ（９）の支持手段（２０）と、前記プロセッサ（９）、前記電力駆動の振動手段（１６）及び１つ以上の前記変換器要素（４、５、６）に電気的に接続した少なくとも１つのバッテリ（２１）を収容する手段とを含み、前記装置（１）は、前記プロセッサ（９）によって制御されるいくつかの動作モードの中から１つを選択するために、更に一連のスイッチ（２２）を含む、請求項１から７のいずれかに記載の装置。
【請求項９】
前記装置（１）は、他の機器との無線通信を構成するための手段を備え、１つの前記動作モードにおいて、前記電力駆動の振動モータ（１６）の動作状況がこの他の機器から送信された情報によって決定される、請求項８に記載の装置。
【請求項１０】
前記電力駆動の振動手段（１６）は、少なくとも２つの電気モータ（７、８）を含み、該電気モータの回転軸は、前記中空本体（２）が延びる長手方向と一致する方向に向けて配置され、前記装置（１）の少なくとも１つの前記動作モードにおいて、前記電気モータ（７、８）の前記回転軸の回転方向が反対方向である、請求項８又は９に記載の装置。
【請求項１１】
前記少なくとも１つのバッテリ（２１）を収容する手段及び前記プロセッサ（９）の支持手段は、前記中空本体（２）の基部に配置され、前記中空本体（２）に軸方向で結合可能な管状キャップ（２３）で保護され、該管状キャップ（２３）の、前記中空本体（２）と結合するための結合開口部（２３ｂ）と反対側の末端開口部（２３ａ）を通して、使用者が前記装置（１）を握るのと同じ手の親指で容易に使用できるようにして前記スイッチ（２２）が使用されることができる、請求項８から１０のいずれかに記載の装置。
【発明の詳細な説明】
【技術分野】
【０００１】
本発明は、ペニス形状の中空本体を含み、内部にバギナの性感帯を刺激するための複数の振動モータを収容するタイプの女性の性的刺激のための装置に関する。
【背景技術】
【０００２】
特許文献１は、分離して制御可能な少なくとも２つの振動器組立体を収容したペニス部分を備えた装置を開示する。
【０００３】
ペニス部分は、主として女性のバギナに挿入されることが目的とされるので、不浸透性の弾性材料で作られたスリーブで覆われる。一実施形態では、このペニス部分は、人のクリトリスを刺激するのに最適である側方に延びる部分を含む。
【０００４】
この装置は、プロセッサ及びバッテリなどを収容する手段を含む。プロセッサは、プロセッサに予めプログラムされた様々な動作モードで振動器組立体を動かすように構成される。動作モードは、装置に備えられたスイッチを用いて選択されることができる。１つの変形では、装置は、主要部分であるペニス部分に載せられた４つの振動器組立体と、上記の側方に延びる部分に配置された別の振動器組立体とを含む。この変形によれば、プロセッサは、１０の動作モードに従って振動器組立体を制御するように構成される。
【先行技術文献】
【特許文献】
【０００５】
【特許文献１】欧州特許出願公開第２３０８４４６号明細書
【発明の概要】
【発明が解決しようとする課題】
【０００６】
本発明の第１の目的は、使用者との相互作用能力の向上に加え、より良好な刺激能力も提供する代わりの装置である。
【０００７】
本発明の別の目的は、装置に機械的手段又は他のタイプの手段を、組み立て及び製造コストへの影響に加えて装置の使用との不適合の可能性をもたらし得る、これらの手段に対するねじなどの固定又は支持要素を必要とせずに組み込むことを意図する簡単な構造を有する形状である。
【課題を解決するための手段】
【０００８】
本発明の装置は、電力駆動の振動手段を収容する細長い中空本体と、該中空本体を少なくとも部分的に覆うとともに概ねペニス形状である可撓性材料で作られた不浸透性の外側のスリーブとを含む。
【０００９】
この装置は、スリーブの関係する部分に作用する身体的原因の影響を電気信号に変換する、スリーブによって覆われた少なくとも１つの変換器要素を更に含むこと、及びこの装置は、上記の電気信号の値に従って電力駆動の振動手段の動作を制御可能なプロセッサを含むことを本質的な特徴とする。
【００１０】
本発明では、変換器要素によって変換される身体的原因は、装置が１つ以上の変換器要素を含むならば、スリーブの対応する関係部分に作用する圧力、力、温度、湿気又はそれらの組み合わせのいずれか１つであることを意図する。
【００１１】
本発明の別の特徴によれば、それぞれの変換器要素は中空本体内に支持され、中空本体は対応する開口部を含み、その開口部を通して変換器要素の感知部が利用されることができる。この特徴によれば、スリーブの関係する部分がこの開口部を覆う部分である場合、そのスリーブの関係する部分は、変換器要素の感知部に物理的に接触するか、又は変換器要素の感知部に物理的に接触するまで変形可能であることを更に備える。
【００１２】
変換器要素に関係するスリーブのそれぞれの部分において、スリーブは、好ましくは少なくとも１つの内向きに突出した突起又は隆起を内部に備える。これは、対応する変換器要素の感知部に対して圧力を及ぼすこと、及びスリーブがその部分で受ける内向きの変形を感知部に伝達することを目的とする。
【００１３】
本発明の別の特徴によれば、電力駆動の振動手段は少なくとも２つの電気モータを含み、３つの変換器要素を備え、プロセッサは動作モードに従って電力駆動の振動手段の動作を制御するように構成され、動作モードに従って、第１の電気モータの動作又は動作状態は、第１の変換器要素によって生成された信号によって決定され、第２の電気モータの動作又は動作状態は、第２及び第３の変換器要素によって生成された信号によって決定される。
【００１４】
一実施形態では、中空本体は、２つの互いに結合可能な半割を定める実質的に長手方向の切れ目に従って分割される。それらの半割の間に電力駆動の振動手段が配置されて、圧力によって保持される。
【００１５】
好ましい変形によれば、中空本体の少なくとも１つの半割は、対応する変換器要素の感知部を利用するための少なくとも１つの開口部を備える。変換器要素は、中空本体のこの半割に形成された、この開口部の真下に突出したタブ内に支持される。
【００１６】
この装置の別の態様によれば、一実施形態において、中空本体はプロセッサの支持手段と、プロセッサ、電力駆動の振動手段及び１つ以上の変換器要素に電気的に接続した少なくとも１つのバッテリを収容する手段とを含む。この装置は、プロセッサによって制御されるいくつかの動作モードの中から１つを選択するために、更に一連のスイッチを含む。
【００１７】
この装置は、他の機器との無線通信を構成するための手段を含み、１つの動作モードにおいて、電力駆動の振動モータの動作状況がこの他の機器から送信された情報によって決定されるようにすることもまた意図される。
【００１８】
別の特徴によれば、電力駆動の振動手段は、少なくとも２つの電気モータを含み、その回転軸は中空本体が延びる長手方向と一致する方向に向けて配置され、装置の少なくとも１つの動作モードにおいて、電気モータの軸の回転方向が反対方向であるようにされる。
【００１９】
別の特徴によれば、少なくとも１つのバッテリを収容するための手段及びプロセッサを収容するための手段は、中空本体の基部に配置され、中空本体に軸方向で結合可能な管状キャップで保護される。管状キャップの、中空本体と結合するための結合開口部と反対側の末端開口部を通してスイッチは使用されることができ、使用者が装置を握るのと同じ手の親指で容易に使用できるようになっている。
【図面の簡単な説明】
【００２０】
【図１】本発明の装置の一実施形態の分解図である。
【図２】構成要素が適切に組み立てられた図１の装置の長手方向断面図である。
【図３】図２に記載された装置の中空本体を形成する半割の１つ、特に開口部を備えて、この開口部を覆うスリーブの部分に作用する身体的原因の影響を変換器の感知部が読み取ることができるようにした部分の正面図である。
【発明を実施するための形態】
【００２１】
図面に実施例として記載された装置１は、２つの主要な構成要素である、互いに結合可能な２つのプラスチックの成形された半割２ａ、２ｂによって形成された中空本体２と、中空本体２のペニス形状の主要部分を覆うラテックス又はシリコンなどの可撓性材料で作られたスリーブ３とを含む。
【００２２】
図１は、ねじなどによって結合可能である公知の相互結合手段２４を含む２つの半割２ａ、２ｂを示す。より具体的には、半割２ｂは、雌ねじを備えた一対の中空の円筒を備え、それぞれがねじ込みによって締め付けねじを受けることを目的とする。締め付けねじは、その目的のために中空本体２の他方の半割２ａに設けられた対応する孔を貫通する。
【００２３】
２つの半割２ａ、２ｂの内面は、２つの半割２ａ、２ｂが並置された際にそれぞれのハウジングを形成する複数のリブ、突起などをさらに備え、ハウジングには電力駆動の振動手段１６が取り付けられる。この電力駆動の振動手段１６は、図２に示すように中空本体２の２つの半割２ａ、２ｂが互いに適切に結合された時にこれらの２つの半割２ａ、２ｂの間に取り付けられる、第１及び第２の電気モータ７、８によって形成される。
【００２４】
図１、そしてより詳細には図３に見られるように、中空本体２の半割２ｂは、３つの開口部１３、１４、１５を備え、半割２ｂは、その下に対応する形成されたタブ１７、１８、１９を備え、それらはそれぞれの変換器４、５、６を支持する役割を果たす。
【００２５】
これらの変換器４、５、６はそれぞれ、開口部１３、１４、１５を覆うスリーブ３の部分１０、１１、１２に作用する身体的原因の影響を電気信号に変換する。この身体的原因は、上記の部分１０、１１、１２に作用する圧力、力、温度、湿気又はそれらの組み合わせのいずれか１つであり得る。
【００２６】
以下でより詳細に説明されるように、装置１は、様々な作動モードに従い、変換器４、５、６によって生成された電気信号の値に従って電力駆動の振動手段１６の動作を制御可能なプロセッサ９をさらに含む。
【００２７】
変換器４、５、６が、スリーブ３に、特にこれらの変換器を覆うスリーブ３の部分に作用する身体的原因を捉えるように、図２に記載された好ましい実施形態では、スリーブ３の部分１０、１１、１２は、関係する変換器要素４、５、６の感知部に物理的に接触する。
【００２８】
その実施形態では、変換器要素４、５、６は力センサーであり、変換器要素と関係するスリーブ３の部分１０、１１、１２は、力センサーの感知部に内向きの変形を伝達するために、又はスリーブ３のこれらの部分を支えて強く押すために、内向きに突出する突起又は隆起１１ａ、１２ａ、１３ａを内部に備える。
【００２９】
基部において、中空本体２のそれぞれの半割２ａ、２ｂは成形された延在部を含み、そのような延在部は互いに補完して、２つの半割２ａ、２ｂが結合された時に、プロセッサ９の支持手段２０と、プロセッサ９、電力駆動の振動手段１６及び１つ以上の変換器要素４、５、６に電気的に接続した少なくとも１つのバッテリ２１を収容する手段とを形成する。それらの技術的機能を実行するために、これらの成形された延在部は、標準的な市販のバッテリを収容し、それを装置１の残りの電動部品に接続するためのコネクタ、配線、及び他の一般的な電気部品を既知の方法で備える。
【００３０】
図２に見られるように、中空本体２は、そのペニス形状部分とプロセッサ９及び動力手段を収容する成形された延在部との間の接続部分に、環状の溝３０を備える。環状の溝３０には、スリーブ３においてその口に隣接して成形された環状の内側肩部２９が、堅く挿入される。
【００３１】
少なくとも１つのバッテリ２１を収納する手段及びプロセッサ９を収納する手段は、中空本体２に軸方向で結合可能な管状キャップ２３で保護される。この管状キャップは結合開口部２３ｂを備え、結合開口部２３ｂは、圧力を生じてスリーブ３の口の外側に結合され、それによって中空本体２に結合され、それによって装置１の弱い構成要素を収容する区画の漏入耐性を確実なものにする大きさにされる。
【００３２】
管状キャップ２３は反対の端に末端開口部２３ａを備え、それを通して一連のスイッチ２２を備えたパネルを、プロセッサ９によって制御されるいくつかの動作モードの中から１つを選択するために使用することができる。
【００３３】
このスイッチ２２を備えたパネルは、結合開口部２３ｂを通して管状キャップ２３に挿入され、末端開口部２３ａを通して管状キャップ２３から取り出せないような大きさにされる。一実施形態によれば、管状キャップ２３の正確な結合位置では、スイッチ２２を備えたパネルは、中空本体２での成形された延在部による圧力を受けて、電気的接触をもたらす。
【００３４】
スイッチ２２の配置は、使用者が装置１を握るのと同じ手の親指で容易に使用できるようになっている。
【００３５】
装置１の作動に関し、プロセッサ９は、装置１の動作モードを可能にするために構成され、動作モードに従って、電気モータ７の動作又は動作状態は、中空本体２のペニス形状部分の遠位端に配置された第１の変換器要素４によって生成された信号によって決定され、その一方で第２の電気モータ８の動作又は動作状態は、第２及び第３の変換器要素５、６によって生成された信号によって決定される。この動作モードによれば、例えば、それぞれの変換器要素は電気モータ８の最大の動作状態の５０％に関与することが考えられる。この場合には、装置１の実施形態の変形において、モータ８の最大の動作状態は、変換器要素５、６を形成する両方の力センサーがスリーブ３の関係する部分１１、１２に掛かる最大レベルの力を同時に捉えた場合にのみ到達される。
【００３６】
再度、記載された特定の実施形態を参照して、スリーブ３の部分１２は、スリーブ３の残りの外面に対して高くされることに注目されたい。この特徴は、その特定の位置と一緒になって、中空本体２のペニス形状部分が女性のバギナに挿入された際にクリトリスの最適な刺激を促進する。
【００３７】
装置１に他の機器との無線通信を構成するための手段を備え、１つの動作モードにおいて、電力駆動の振動モータ１６の動作状況がこの他の機器から送信された情報によって決定されるようにすることもまた意図される。他の機器は、例えばパソコン又は同様の特徴を備えた性的玩具にすることができる。
【００３８】
本発明者は、モータ７、８の回転軸７ａ、８ａを中空本体２が延びる長手方向と一致する方向に実質的に向けて配置し、これらの回転軸に反対向きの回転を適用することによって振動増大の効果をもたらし、装置１の性能及び刺激能力を高めるということに更に取り組んだ。
【００３９】
最後に装置１を、実施形態では、装飾リング２８を備えたカバー２６によって一端が閉じられた管状本体２５を含む保護容器２７で補完することが考えられる。
【符号の説明】
【００４０】
１      女性の性的刺激のための装置
２      中空本体
２ａ、２ｂ  中空本体の半割
３      スリーブ
４、５、６  変換器
７、８  電気モータ
９      プロセッサ
１０、１１、１２  開口部を覆うスリーブの部分
１１ａ、１２ａ、１３ａ  スリーブの内向きの突起又は隆起
１３、１４、１５  中空本体の半割の開口部
１６    振動手段
１７、１８、１９  中空本体の半割のタブ
２０    プロセッサの支持手段
２１    バッテリ
２２    スイッチ
２３    管状キャップ
２３ａ  管状キャップの末端開口部
２３ｂ  管状キャップの結合開口部
２４    中空本体の半割の相互結合手段
２５    管状本体
２６    カバー
２７    保護容器
２８    装飾リング
２９    スリーブの内側肩部
３０    中空本体の環状の溝
【図１】
2014533162.tif 000003
【図２】
2014533162.tif 000004
【図３】
2014533162.tif 000005
【国際調査報告】
2014533162.tif 000006
2014533162.tif 000007
2014533162.tif 000008
2014533162.tif 000009